(57)【要約】【課題】巾木本体にフックを取付けただけの簡単な構造であり、足場板への取付けは、足場のパイプに掛止するから足場板に固定する場合に比較して確実に固定でき、固定後は外力が加わっても外れるおそれがなく、取付もワンタッチ的に行えて簡単であり、既製の足場板にも容易に実施できる足場板用巾木を得る。【解決手段】巾木本体２の端部外面側で巾木本体２の長さ方向に、足場の水平パイプ４や縦パイプ５への固定部材として下向きの垂直フック６と、水平フック７とを突設した。【選択図】      図１
2010248728.tif 000002
【特許請求の範囲】
【請求項１】
巾木本体の端部外面側で巾木本体の長さ方向に、足場のパイプへの固定部材として下向きの垂直フックと、水平フックとを突設し、水平フックはスライド杆により横スライド可能としたことを特徴とする足場板用巾木。
【請求項２】
垂直フックと、水平フックとは、板状体にＵ字形の切欠きに形成し、切欠き内周に突起状段差を対向するように形成して、切欠き入口に狭隘部を設けた請求項１記載の足場板用巾木。
【請求項３】
前記水平フックは、巾木本体にバネ部材で出没自在に取付けられる請求項１または請求項２記載の足場板用巾木。
【請求項４】
前記巾木本体は、垂直板の上端を外側に下向きのＬ字形に折り曲げ、下端の僅か上部に内側に向く水平突片を設けて足場板への載置部とした請求項１ないし請求項３のいずれかに記載の足場板用巾木。
【発明の詳細な説明】
【技術分野】
【０００１】
本発明は、建設作業現場等に設置される枠組足場の足場板に取付ける巾木に関するものである。
【背景技術】
【０００２】
建設作業現場等に設置される枠組足場の足場板上での高所作業では、作業者が足元に置いたボルト、金具類等の部品や工具類などを誤って落下させることがある。
【０００３】
建設業等において、高所からの墜落・転落による労働災害が多発していることから、今回、足場等からの墜落防止等の対策の強化を図るため、足場、架設通路及び作業構台からの墜落防止措置等に関し、労働安全衛生規則の一部が改正され、平成２１年6 月1 日から施行される。
【０００４】
その内容は、足場からの墜落防止措置等の充実であり、足場の種類に応じて次の墜落防止措置が必要になる。枠組足場においても、交さ筋かい下部のすき間からの墜落を防止するため、交さ筋かいに加え、「下さん」や「幅木」等の設置、又は、「手すりわく」の設置が義務付けられる。
【０００５】
枠組足場においても、従来から足場板の側縁に巾木を取付けることは行われているが、取付方法としては定まったものがなく、例えば帯状の板材を足場板の側縁に堰板状に立てて枠組足場の支柱に針金や番線で縛り付けている。
【０００６】
しかしこのような方法では、巾木の取り付けと取り外しに時間と労力を要して施工性がよくなかった。
【０００７】
そこで、かかる不都合を解消し、足場板にワンタッチ的に取付けられる巾木として、下記特許文献１に示すものがある。これは、巾木本体の外面側にセット金具が垂直姿勢と下部を外側に突き出す傾斜姿勢との間で揺動自在に枢着されるとともに、該巾木本体の下面から下方へ突出する複数の直立用金具を備え、前記セット金具は、ばね力によって垂直姿勢側に付勢され、垂直姿勢において巾木本体よりも下方へ張出する下部に内向きの係止部を備え、前記直立用金具を足場板の側縁部の取付孔に上方から挿嵌した状態で、巾木本体の下面と前記セット金具の係止部との間に側縁部が嵌合するように構成されている。
【特許文献１】特許第３４３９６８４号公報
【発明の開示】
【発明が解決しようとする課題】
【０００８】
前記従来技術は、巾木をワンタッチ的に取付けられるものではあるが、巾木を足場板にセット金具で直接固定するものであり、しかも、セット金具は足場板を外側から垂直方向に押さえるだけであるため、セット金具の下側が何らかの外力によって押されると作業中であっても簡単に外れるおそれがあり、また、足場板にも取付孔を穿設する必要がある。
【０００９】
なお、近年、労働安全衛生規則の改正により、枠組足場の足場板に対して所定の高さ以上の巾木の設置が義務付けられたが、前記従来技術は、セット金具も巾木の高さに対応させる必要があり、生産性がよくない。
【００１０】
本発明は前記従来例の不都合を解消するものとして、簡単な構造で足場板に巾木を確実に固定でき、固定後は外力が加わっても外れるおそれがなく、取付もワンタッチ的に行えて簡単であり、既製の足場板にも容易に実施できる足場板用巾木を提供するものである。
【課題を解決するための手段】
【００１１】
請求項１記載の本発明は、巾木本体の端部外面側で巾木本体の長さ方向に、足場のパイプへの固定部材として下向きの垂直フックと、水平フックとを突設し、水平フックはスライド杆により横スライド可能としたことを要旨とするものである。
【００１２】
請求項１記載の本発明によれば、巾木本体は垂直フックと水平フックとで足場を形成する水平パイプと縦パイプとにそれぞれ係止されて固定される。よって、巾木本体は足場板に直接固定されるのではなく、しかも、水平と垂直方向の２方向で固定され、さらに、フックによる係止であるから、外力により外れにくく固定が確実になされる。また、取付けもフックを掛けるたけでよいからワンタッチ的に行えて容易である。
【００１３】
さらに本発明は、垂直フックと水平フックを設けるに、水平フックがスライド杆により横スライド可能とすることは重要である。両者が固定では位置合わせが難しく足場を形成する水平パイプと縦パイプとに同時に掛けることは困難であるが、水平フックが横スライド可能とすることで、これが容易になる。なお、垂直フックを先に掛け、巾木本体を寝かした状態から立てるようにすれば、水平フックを容易に縦パイプに掛けることが可能となる。
【００１４】
請求項２記載の本発明は、垂直フックと、水平フックとは、板状体にＵ字形の切欠きに形成し、切欠き内周に突起状段差を対向するように形成して、切欠き入口に狭隘部を設けたことを要旨とするのである。
【００１５】
請求項２記載の本発明によれば、垂直フックと、水平フックとは、板状体にＵ字形の切欠きに形成し、切欠き内周に突起状段差を対向するように形成して、切欠き入口に狭隘部を設けたので、水平パイプに垂直フックの掛止部を引っ掛け、また、縦パイプへ水平フックは掛止部を引っ掛けるのに、一度切欠き内に挿入した水平パイプや縦パイプが狭隘部で抜け難いものとなる。外れ防止が得られる。
【００１６】
さらに、この突起状段差は水平パイプや縦パイプをＵ字形の切欠き内に挿入する際にはほとんど支障とならない。
【００１７】
請求項３記載の本発明は、前記水平フックは、巾木本体にバネ部材で出没自在に取付けられることを要旨とするものである。
【００１８】
請求項３記載の本発明によれば、水平フックはバネ部材で巾木本体に出没自在に取付けたから、巾木本体内に収納でき、垂直フックを水平パイプに係止するときに、邪魔になることはない。
【００１９】
請求項４記載の本発明は、前記巾木本体は、垂直板の上端を外側に下向きのＬ字形に折り曲げ、下端の僅か上部に内側に向く水平突片を設けて足場板への載置部としたことを要旨とするものである。
【００２０】
請求項４記載の本発明によれば、巾木本体の上端からの折り曲げ部と下端の水平突片は、それぞれ外側と内側の反対方向に突出するから、収納時に巾木本体を段積みにするとき、互い違いに積み重ねることで水平に無駄なく積み重ねられる。
【発明の効果】
【００２１】
以上述べたように本発明の足場板用巾木は、巾木本体にフックを取付けただけの簡単な構造であり、足場板への取付けは、足場のパイプに掛止するから足場板に固定する場合に比較して確実に固定でき、固定後は外力が加わっても外れるおそれがなく、取付もワンタッチ的に行えて簡単であり、既製の足場板にも容易に実施できるものである。
【発明を実施するための最良の形態】
【００２２】
以下、図面について本発明の実施形態を詳細に説明する。図１は本発明の足場板用巾木の実施形態を示す正面図、図２は同上巾木本体の側面図で、本発明の巾木１は、枠組足場の足場板３に取付けるものであり、基本構造としては、帯状の板体で構成する巾木本体２の両端部に、該巾木本体２の長さ方向で、枠組足場の水平パイプ４と縦パイプ５とにそれぞれ掛止する垂直フック６と水平フック７とを突出させて取付けた。
【００２３】
巾木本体２は、図２に示すように鋼板などによる帯状金属板材の上端を外側に下向きのＬ字形に折り曲げ加工し、下端の僅か上部を内側に水平に折り曲げて水平突片２ａとして足場板３への載置部とした。
【００２４】
垂直フック６は、図１、図３に示すように板状体６ａの先端を下向きのＵ字形の切欠きに形成し、この切欠き部を枠組足場の水平パイプ４に上方から掛止する掛止部６ｂに形成した。
【００２５】
前記垂直フック６のＵ字形の切欠きには、切欠き内周に突起状段差１３を対向するように形成して、切欠き入口に狭隘部１４を設けるようにした。
【００２６】
この突起状段差１３から内側は水平パイプ４の半円周以上の周面を有し、また、突起状段差１３の段差は外の開口に向けて狭隘部１４へ外から導くような傾斜を持たせた。
【００２７】
垂直フック６は、巾木本体２の左右両端に取付けられ、連続して連結される巾木１の端部から対向して突出することになるが、隣接の巾木１から突出する垂直フック６がお互いにぶつかり合わないよう、図３に示すように巾木本体２の水平方向の巾方向の範囲内で突出位置を異ならせた。
【００２８】
具体的には、垂直フック６は、板状体６ａの基部を巾木本体２に当接してボルトで固定し、巾木本体２からの突出部分を外側に斜めに曲げた斜部６ｃに形成し、そのさらに先端の垂直板状の部分に掛止部６ｂを形成するが、この場合、前記斜部６ｃの巾を巾木本体２の左右で異ならせる。
【００２９】
図３に示す場合、斜部６ｃは、巾木本体２の右側では１５ｍｍであるが、左側では２０ｍｍである。これにより、連結される隣接の巾木１から突出する垂直フック６は相互に入れ違いとなり、同一の水平パイプ４に掛止できる。
【００３０】
水平フック７は、垂直フック６の上方位置で巾木本体２に取付けられるもので、その第１例を図４〜図７に示す。水平フック７は、板状体の先端に横向きのＵ字形の切欠きを設けて縦パイプ５への掛止部７ａとし、この係止部７ａが形成された板状体を溶接などによりスライド杆８に固定する。
【００３１】
前記垂直フック６と同じく水平フック７にもＵ字形の切欠きには、切欠き内周に突起状段差１３を対向するように形成して、切欠き入口に狭隘部１４を設けるようにした。
【００３２】
この突起状段差１３から内側は縦パイプ５の半円周以上の周面を有し、また、突起状段差１３の段差は外の開口に向けて狭隘部１４へ外から導くような傾斜を持たせた。
【００３３】
スライド杆８の後端近傍には後述の板バネ１１への係止凹部８ａを設ける。
【００３４】
スライド杆８の巾木本体２への取付手段は、取付板９をボルトで巾木本体２の外側面に固定し、この取付板９の外面に帯板状部材を折り曲げ加工した横長コ字形の支持部材１０を溶接などにより固定する。この場合、支持部材１０は取付板９よりも長尺のものとし、支持部材１０の後部を取付板９よりも後方に突出させる。
【００３５】
支持部材１０は、コ字形の両端部の立ち上がり部にスライド杆８の挿通孔が穿設してある。これにより、スライド杆８は支持部材１０でスライド自在に支承される。
【００３６】
支持部材１０の後部部分の内面側で取付板９の外側に形成される隙間に、板バネ１１を取付ける。この板バネ１１は、端部が支持部材１０から後方に突出し、この突出部に外側への９０度の折曲がり部が山形に形成され、この折曲がり部が前記スライド杆８に設けた係止凹部８ａへの係止突起１１ａとなる。
【００３７】
かかる巾木１を足場板に取付けるには、図２に示すように巾木１を足場板３の側縁に配置し、水平突片２ａを足場板３の上に載せ、図１に示すように枠組足場を構成する水平パイプ４に垂直フック６の掛止部６ｂを上方から引っ掛ける。この場合、連続する足場板相互の間では、対向する足場板から垂直フック６が向かい合わせで突出するが、垂直フック６は前記のように入れ違いに突出しているから、両垂直フック６の先端がぶつかることはなく、並行して同じ水平パイプ４に引っ掛けられる。
【００３８】
この状態で、垂直フック６は掛止部６ｂが下向きに形成されているから、巾木本体２の荷重が加わることで、垂直フック６が水平パイプ４から外れるおそれはない。
【００３９】
この垂直パイプ６の係止作業時に水平パイプ７や垂直パイプ６が邪魔になるときは、板ばね１１の弾力に抗してスライド杆８を支持部材１０にそって後方にスライドさせれば、掛止部７ｂは巾木本体２内に没入する。
【００４０】
なお、このように水平フック７を巾木本体２から引き出して掛止部７ａを縦パイプ５に差し込んで掛止するのに、巾木本体２はすでに垂直フック６が水平パイプ４に係止されているので安定して行うことができるが、特に巾木本体２を斜めに倒すことで水平フック７を縦パイプ５に邪魔にならずに移動でき、掛止部７ａと縦パイプ５が合った所で巾木本体２を垂直に立てれば、簡単かつ迅速に係止が可能となる。
【００４１】
以上のようにして垂直フック６を水平パイプ４に取付けたならば、次に水平フック７を巾木本体２から引き出して掛止部７ａを縦パイプ５に差し込んで掛止する。この状態で、スライド杆８に形成してある係止凹部８ａに板バネ１１の係止突起１１ａが弾力により嵌り込み、水平フック７はその位置で巾木本体２に固定され、縦パイプ５から外れるおそれはない。
【００４２】
このようにして垂直フック６と水平フック７とが枠組足場の水平パイプ４と縦パイプ５に固定されることで、巾木１が足場板の側縁に配設される。
【００４３】
巾木１を使用しないときは、図８に示すように巾木本体２を水平に倒して段積みする。この場合、上下位置の巾木本体２は水平突片２ａが互いに上下に突出するようにして入れ違いに積み重ねる。これにより、無駄なスペースが生じることなく、また、横ずれすることもなく安定した状態で積み重ねられる。
【００４４】
なお、板バネ１１とスライド杆８の係合は、前記のようにスライド杆８に係止凹部８ａを設ける他に、スライド杆８端部が板バネ１１の山の斜面に当接するようにしてもよい。
【００４５】
すなわち、スライド杆８端部は板バネ１１を乗り越えて、板バネ１１の山の斜面がこのスライド杆８端部を押すようにする。このようにしても板バネ１１の付勢力でスライド杆８を固定できる。
【００４６】
図９〜図１２は水平フック７の巾木本体２への取付手段の第２例を示し、前記した第１例の板バネ１１にかえてコイルバネ１２を支持部材１０の範囲内でスライド杆８に巻回し、スライド杆８の後端にストッパー８ｂとしてのリングを取付けた。その他の構成は第１例と同様である。
【００４７】
これにより、図９（ｂ）に示すようにスライド杆８および水平フック７はコイルバネ１２の伸張力で突出方向に付勢され、水平フック７が巾木本体２から突出して掛止部７ａが縦パイプ５に押圧されて掛止される。
【００４８】
この状態で、水平フック７には前記のようにコイルバネ１２によって縦パイプ５の方向への押圧力が加わっているから、水平フック７が縦パイプ５から外れることはない。
【００４９】
なお、水平フック７を縦パイプ５に掛止していない状態でも、水平フック７には巾木本体２から突出する方向への力がコイルバネ１２によって付勢されているが、スライド杆８の後端にストッパー８ｂが設けてあり、図１２に示すようにこれが支持部材１０の外側に当接するから、スライド杆８が支持部材１０から抜け出ることはない。
【００５０】
水平フック７を巾木本体２内に没入させるには、コイルバネ１２の弾力に抗して押し込めばよい。
【図面の簡単な説明】
【００５１】
【図１】本発明の足場板用巾木の実施形態を示す正面図である。
【図２】本発明の足場板用巾木の巾木本体の側面図である。
【図３】本発明の足場板用巾木の水平フックを取り除いた状態の平面図である。
【図４】本発明の足場板用巾木の水平フックの第１例を巾木本体に取付けた状態の横断平面図である。
【図５】本発明の足場板用巾木の水平フックの第１例を示す平面図である。
【図６】本発明の足場板用巾木の水平フックの第１例を示す側面図である。
【図７】本発明の足場板用巾木の水平フックの第１例を示す正面図である。
【図８】本発明の足場板用巾木の巾木本体を段積みした状態の説明図である。
【図９】本発明の足場板用巾木の水平フックの第２例を巾木本体に取付けた状態の横断平面図である。
【図１０】本発明の足場板用巾木の水平フックの第２例を示す平面図である。
【図１１】本発明の足場板用巾木の水平フックの第２例を示す側面図である。
【図１２】本発明の足場板用巾木の水平フックの第２例を示す正面図である。
【符号の説明】
【００５２】
１  巾木                        ２  巾木本体
３  足場板                      ４  水平パイプ
５  縦パイプ                    ６  垂直フック
６ａ  板状体                    ６ｂ  掛止部
６ｃ  斜部                      ７  水平フック
７ａ  掛止部                    ８  スライド杆
８ａ  係止凹部                  ８ｂ  ストッパー
９  取付板                      １０  支持部材
１１  板バネ                    １１ａ  係止突起
１２  コイルバネ                １３  突起状段差
１４  狭隘部
【図１】
2010248728.tif 000003
【図２】
2010248728.tif 000004
【図３】
2010248728.tif 000005
【図４】
2010248728.tif 000006
【図５】
2010248728.tif 000007
【図６】
2010248728.tif 000008
【図７】
2010248728.tif 000009
【図８】
2010248728.tif 000010
【図９】
2010248728.tif 000011
【図１０】
2010248728.tif 000012
【図１１】
2010248728.tif 000013
【図１２】
2010248728.tif 000014